【事件の表示】
　特願２００２−２８９４０７「電線管連結装置」拒絶査定不服審判事件〔平成１６年　４月２２日出願公開、特開２００４−１２９３６８〕について、次のとおり審決する。
【結　論】
　本件審判の請求は、成り立たない。
【理　由】
第１　手続の経緯  
　本願は、平成１４年１０月２日にされた特許出願（２００２年特許願第２８９４０７号。以下「本件出願」という。）につき、平成２０年７月２２日付けで拒絶査定（発送日：同月２９日）されたところ、拒絶査定不服審判が同年８月２７日に請求されたものである。 
 　　　　　　　　　　　 
 第２　本件出願に係る発明 
　本件出願の請求項１に係る発明は、平成１９年７月３１日付け手続補正書により補正された特許請求の範囲の記載からみて、特許請求の範囲の請求項１に記載された事項により特定されるとおりのものであって、その請求項１に係る発明（以下、「本願発明」という。）は次のとおりのものと認める。 
 　 
【請求項１】
「地色が同一で外面の一部に前記地色とは異なる色彩が施されることにより相互に識別可能とする色彩識別部が長手方向に設けられた複数種類の電線管と、
　内部にケ−ブルの一部を収容する配線ボックス等の配線体に前記電線管を連結するための継手とから成り、
　前記継手は、一端側に前記電線管が連結される継手本体と、該継手本体の他端側を前記配線体に連結させるべく該配線体の内部に配設されて、配線体内に挿通された継手本体の雄ねじ部に螺合する雌ねじ部を備えたナット体で構成され、外面全体に前記各電線管の色彩識別部と同一色が施されて、前記配線体の開口からの識別を可能とする色彩識別部が設けられた複数種類の継手用連結体と、から成り、
　前記継手本体は、全体に前記複数種類の電線管及び継手用連結体に施される各色彩識別部と異なる色彩が施され、複数種類の電線管及び継手用連結体に対して共用可能であることを特徴とする電線管連結装置。」 
 　　　　　　　　　　　　 
第３　引用刊行物の記載 
（３Ａ）原査定の拒絶の理由に引用され、本件出願前に頒布された引用文献（特開平７−２３１５３２号公報、以下「引用刊行物Ａ」という。）には、次の事項が図面とともに記載されている。（下線は当審により付加されたものである。） 
（３Ａ−１）「【０００１】
【産業上の利用分野】本発明は、
電線、ケーブル、パイプ等の長尺体を引き込むために施工される管
引き込み部形成具
コンクリートスラブに合成樹脂性可とう電線管
（３Ａ−２）「【０００３】そしてこの
電線管の中には
各種用途の
ケーブル
が引き込まれる
・・・
【０００５】図７のボックス組立２ｂは、コンクリートボックス２ｇとコネクタ２ｆとで構成されている。コンクリートボックス２ｇは、取り外し可能な裏蓋４１と周壁部４２とからなり、周壁部４２には打ち抜き可能な閉塞板３９が複数形成されている。そしてこの閉塞板３９を打ち抜くと、図８に示すようにコネクタ２ｆが取り付けられる開口を形成できるようになっている。。
【０００６】
コネクタ２ｆは
本体３６の一端に管１を接続するための止め具３５が取り付けられ、他端に取り付け用ナット３７が螺合されるものである
（３Ａ−３）「【００１５】またボックス組立２ｂのコネクタ２ｆの端部に識別シールを貼ることも試みたが、狭いボックス２ｇ内に各種の識別シールを貼る作業は手間を要し、張り付け作業時に先に貼ったシールが剥がれてしまったり、ケーブルの引き込み作業時に他の箇所のシールを剥してしまうことが多かった。」
（３Ａ−４）「【００１７】
【課題を解決するための手段】本発明の引き込み管の施工構造は、長尺体を引き込む開口を有する複数個の引き込み部形成具と、これらの引き込み部形成具に連設された複数本の管とからなる、
複数種の長尺体を引き込むための引き込み用管
【００１８】ここで引き込み部形成具とは、管の末端が接続される部品で、長尺体を管に引き込む（又は、引き出す）ための開口を有するものである。引き込み部形成具としては、配管工事の付属品として多種のものが提供されており、箱状のものや管状のものがある。箱状のものとしてはアウトレットボックス、スイッチボックス、コンクリートボックス、露出ボックス、ジャンクションボックス、プルボックス、ジョイントボックス、キャビネット、エンドカバー、ケーブルエンド、カップエンド等各種のものがある。また管状のものにも、コネクタ、カップリング、垂直ブッシングなど各種のものがある。
【００１９】なおここで内側とは、引き込み部形成具の長尺体を引き込むための開口の在る側から見える部分を言う。外側とは、引き込み部形成具の管を接続する側から見える部分を言う。共通の識別表示は、これら内側、外側に在れば良い。内側、外側に共通の識別表示を付す態様としては、引き込み部形成具の内面と外面に付したり（請求項２）、引き込み部形成具の両端部に付す（請求項３）態様が考えられる。
【００２０】例えば前記
図８に示した、コンクリートボックス２ｇ
・・・
【００２２】
　コネクタ２ｆとボックス２ｇとからなるボックス組立２ｂにあっては、ボックス２ｇの裏蓋４１の外面とコネクタ２ｆの取付ナット３７とに共通の識別表示を付してもよい。」
（３Ａ−５）「【００２９】
【実施例】
（実施例１）以下、本発明の引き込み用管の施工構造を実施例に沿って説明する。図１に示すようにこの実施例の施工構造では、コンクリートスラブ１０に複数個の引き込み部形成具２が埋め込まれている。すなわちケーブルエンド２ａ、ボックス組立２ｂ、エンドカバー２ｃ、カップリング２ｄ及び垂直ブッシング２ｅ（これらを総称して引き込み部形成具２と記す）が埋め込まれている。これら引き込み部形成具２の底部開口７ａはコンクリートスラブ１０の表面側に位置している。これら
引き込み部形成具
黄色のラインが付された第１の電線管１（Ｙ）には低圧用ケーブル６（Ｙ）が引き込まれてお
赤色のラインが付された第２の電線管１（Ｒ）には高圧用ケーブル６（Ｒ）が挿通されている
【００３０】前記引き込み部形成具２には、内外面に共通する色調で識別表示されたものを用いている。すなわち、この実施例では、赤色の蛍光性顔料が配合されたポリプロピレンで成形された引き込み部形成具２（Ｒ）と、黄色の蛍光性顔料が配合されたポリプロピレンで成形された引き込み部形成具２（Ｙ）が用いられている。すなわち、赤の引き込み部形成具２（Ｒ）には内外面とも赤色で共通の表示が施され、黄の引き込み部形成具２（Ｙ）には内外面とも黄色で共通の表示が施されている。そして高圧用ケーブル６（Ｒ）を引き込む箇所には赤の引き込み部形成具２（Ｒ）が用いられており、低圧用ケーブル６（Ｙ）が引き込まれる箇所には黄の引き込み部形成具２（Ｙ）が用いられている。
【００３１】この構造の施工手順を図１等を参照しながら説明する。まず図３に示すように、仮設型枠５に引き込み部形成具２を固定する。このとき、設計図を参照しながら、低圧用ケーブル６（Ｙ）を配線する箇所には黄の引き込み部形成具２（Ｙ）を、高圧用ケーブル６（Ｒ）を配線する箇所には赤の引き込み部形成具２（Ｒ）を用いた。ついで、これら引き込み部形成具２間をこれらの色を目印にしながら電線管１（Ｙ）又は１（Ｒ）で接続した。
【００３２】このあとケーブルの種類ごとに設計図通りの適正な配管がなされているか、引き込み部形成具２の外面の色を目印にして検査した。
【００３３】しかる後、仮設型枠５内にコンクリートを打設し、コンクリートが固化した後、仮設型枠５を取り去った。出来上がったコンクリートスラブ１０の表面には、赤あるいは黄のケーブルエンド２ａ、エンドカバー２ｃの仮底板が見えていた。これらの仮底板を取り除くと、内面にも同様の色が見えた。ついで垂直ブッシュ２ｅ（Ｙ）に、これと同色のコネクタ４０（Ｙ）、電線管１（Ｙ）およびコネクタ３４（Ｙ）を介して同色のアウトレットボックス２ｉ（Ｙ）を接続した。
【００３４】この後、引き込み部形成具２の色を目印にして強電用あるいは弱電用のケーブル６を引き込んだ。
【００３５】この結果、図６に示したように多数のケーブルエンド２ａが集中した箇所でも、ケーブル引き込み作業を設計図通り間違なく行うことができた。」
（３Ａ−６）「【００４０】これに対し通信・情報系の各種用途のケーブル６を敷設する経路には、空色に着色された裏蓋４１を有するコンクリートボックス２ｇ（Ｓ）が複数配置されている。各コンクリートボックス２ｇには、コネクタ２ｆを通して多種のケーブル６が引き込まれている。すなわち電話用ケーブル６（Ｇ）、テレビ用ケーブル６（Ｗ）、機器通信用ケーブル６（Ｏ）が引き込まれている。
【００４１】これら各通信・情報系ケーブル６の経路を識別するために、この実施例の施工構造では、前記ボックス２ｇ（Ｓ）に取り付けられたコネクタ２ｆにさらに識別表示を付している。即ち電話用ケーブル６（Ｇ）の経路には、緑に着色された止め具３５と取付ナット３７とを有するコネクタ２ｆ（Ｇ）が用いられている。テレビ用ケーブル６（Ｗ）の経路には、両端部が白色のコネクタ２ｆ（Ｗ）が用いられている。機器通信用ケーブル６（Ｏ）の経路には、全体がオレンジ色に着色されたコネクタ２ｆ（Ｏ）が用いられている。
【００４２】この実施例の構造を施工するには、まず黄色に着色されたアウトレットボックス２ｉ（Ｙ）等の引き込み部形成具２を目印にして電線管１（Ｙ）を接続して、低圧用ケーブル６（Ｙ）を引き込む管路を形成する。
【００４３】ついで空色の
コンクリートボックス２ｇ
通信・情報系のケーブル６のための管路を構成する
電話用ケーブル６（Ｇ）を引き込む管路を形成するときには、緑の識別表示を有するコネクタ２ｆ（Ｇ）を目印に電線管１（Ｇ）を接続する
テレビ用ケーブル６（Ｗ）を引き込む電線管１（Ｗ）は白のコネクタ２ｆ（Ｗ）を目印にする
機器通信用ケーブル６（Ｏ）を引き込む電線管１（Ｏ）はオレンジ色のコネクタ２ｆ（Ｏ）を目印にして接続する
【００４４】
以上のようにして構成した管路
各種ケーブル６を引き込む際に
各引き込み部形成具２の開口側から見える外側の識別表示（この実施例では色）を目印にする
【００４５】この実施例の施工構造によれば、図１０に示したような多種のケーブル経路が集中したボックス２ｇにおいても、配管作業、ケーブル引き込み作業の間違いを低減できる。
【００４６】なお、前記実施例では管を埋設した例を示したが、本発明の施工構造は管を埋設しない場合も対象となる。例えば室内の視認し難い箇所に配管する場合などにも本発明の施工構造は好適である。
【００４７】またコネクタ２ｆの識別表示は、止め具３５と本体３６の組合せ、及び、取付ナット３７と本体３６の組合せによって表示することもできる。例えば本体３６を白色とし止め具３５と取付ナット３７を赤色にすれば、（白・赤）の組で一つの識別表示にできる。コンクリートボックス２ｇについても同様、裏蓋４１の表示と周壁部４２の表示との組合せで識別表示を構成することができる。これらの場合は、更に多種の識別表示を構成できる利点がある。
【００４８】さらにボックス組立２ｂのように、複数の引き込み部形成具２を組み合わせて一つの引き込み部形成具２としたものにあっては、組立体全体としての内側と外側に識別表示があれば良い。例えば
コンクリートボックス２ｇの裏蓋４１の外面とコネクタ２ｆの取付ナット３７
（３Ａ−７）図８には、ケーブル６が、電線管１と接続されるコネクタ２ｆからコンクリートボックス２ｇ内に引き込まれることが描かれている。
　　
　上記引用刊行物Ａの摘記事項（３Ａ−１）〜（３Ａ−７）の記載を参照すると、上記引用刊行物Ａには、 
「各種用途のケーブルが引き込まれる複数種の電線管１と、 
　コンクリートボックス２ｇに電線管１を接続するコネクタ２ｆとを有し、
　コネクタ２ｆは、本体３６の一端に電線管１を接続するための止め具３５と、他端に螺合される取付ナット３７を含むとともに識別表示を有する引き込み部形成具。」の発明（以下、「引用発明」という。）が記載されているものと認める。
　　　　　　　　　　　
 第４　対比・判断  
 （４−１）本願発明と引用発明とを対比する。  
（i）引用発明の「複数種の電線管１」が本願発明の「複数種類の電線管」に相当する。
　そして、上記引用刊行物Ａの摘記事項（３Ａ−４）及び（３Ａ−５）にはそれぞれ「【００１８】・・・引き込み部形成具としては、配管工事の付属品として多種のものが提供されており、箱状のものや管状のものがある。箱状のものとしては・・・コンクリートボックス・・・等各種のものがある。また管状のものにも、コネクタ、カップリング、垂直ブッシングなど各種のものがある。」こと、及び「【００２９】・・・これら引き込み部形成具２には電線管１が接続されている。そして、黄色のラインが付された第１の電線管１（Ｙ）には低圧用ケーブル６（Ｙ）が引き込まれており、赤色のラインが付された第２の電線管１（Ｒ）には高圧用ケーブル６（Ｒ）が挿通されている。」ことが記載されていることから、引用発明の複数種の電線管１に設けられたラインの色は電線管１の外面の一部に設けられるともに、地色とは異なる色であることは明らかである。そうすると、引用発明の「複数種の電線管１」と本願発明の「複数種類の電線管」とは「外面の一部に地色とは異なる色彩が施されることにより相互に識別可能とする色彩識別部が設けられた複数種類の電線管」である点で共通する。
（ii）引用発明の「コンクリートボックス２ｇ」が本願発明の「配線ボックス等の配線体」に相当し、さらに、上記引用刊行物Ａの摘記事項（３Ａ−７）には「ケーブル６が、電線管１と接続されるコネクタ２ｆからコンクリートボックス２ｇ内に引き込まれる」ことが記載されていることから、本願発明の「配線ボックス等の配線体」と同様に「内部にケ−ブルの一部を収容する」ものである。
　そして、引用発明の「コネクタ２ｆ」が本願発明の「継手」に相当するから、引用発明の「コンクリートボックス２ｇに電線管１を接続するコネクタ２ｆ」が本願補明の「内部にケ−ブルの一部を収容する配線ボックス等の配線体に前記電線管を連結するための継手」に相当する。
（iii）引用発明の「本体３６」は、止め具３５によって本体の一端に電線管１が接続されることから、本願発明の「一端側に前記電線管が連結される継手本体」に相当する。
（iv）上記引用刊行物Ａの摘記事項（３Ａ−６）には「【００４１】これら各通信・情報系ケーブル６の経路を識別するために、この実施例の施工構造では、前記ボックス２ｇ（Ｓ）に取り付けられたコネクタ２ｆにさらに識別表示を付している。即ち電話用ケーブル６（Ｇ）の経路には、緑に着色された止め具３５と取付ナット３７とを有するコネクタ２ｆ（Ｇ）が用いられている。テレビ用ケーブル６（Ｗ）の経路には、両端部が白色のコネクタ２ｆ（Ｗ）が用いられている。機器通信用ケーブル６（Ｏ）の経路には、全体がオレンジ色に着色されたコネクタ２ｆ（Ｏ）が用いられている。・・・【００４７】またコネクタ２ｆの識別表示は、・・・取付ナット３７と本体３６の組合せによって表示することもできる。・・・【００４８】・・・例えばコンクリートボックス２ｇの裏蓋４１の外面とコネクタ２ｆの取付ナット３７に共通の識別表示を付してもよい。」ことが記載されていることから、引用発明の「取付ナット３７」には異なる識別表示が付された複数種類のナットを有する場合を含むことは明らかである。そうすると、引用発明の「取付ナット３７」は本願発明の「複数種類の継手用連結体」に相当し、引用発明の「取付ナット３７」と本願発明の「複数種類の継手用連結体」とは「前記配線体の開口からの識別を可能とする色彩識別部が設けられ」ている点で共通する。
　そして、引用発明の「取付ナット３７」は、本体３６の他端に螺合されるものであり、さらに、ナットの雌ねじが部材に形成された雄ねじに螺合することは、例えば、特開平２−１３６３２号公報の４頁左上欄の６〜８行の記載されているように、技術常識であり、また、上記引用刊行物Ａの摘記事項（３Ａ−２）には「【０００６】コネクタ２ｆは、図９に示すように、本体３６の一端に管１を接続するための止め具３５が取り付けられ、他端に取り付け用ナット３７が螺合されるものである。このコネクタ２ｆは、本体３６の他端をコンクリートボックス２ｇの閉塞板３６を打ち抜いて形成した開口に差込み、ボックス２ｇの内側からナット３７で締め付けることにより、図８に示したように、ボックス２ｇに固定される。」ことが記載されていることから、引用発明の「取付ナット３７」の雄ねじが、コンクリートボックス２ｇの内部に差し込まれたコネクタ２ｆの本体３６の他端に形成された雄ねじに螺合することは明らかである。そうすると、引用発明の「取付ナット３７」は、本願発明の「複数種類の継手用連結体」と同様に「該継手本体の他端側を前記配線体に連結させるべく該配線体の内部に配設されて、配線体内に挿通された継手本体の雄ねじ部に螺合する雌ねじ部を備えたナット体で構成され」ているものである。
（v）引用発明の「引き込み部形成具」が本願発明の「電線管連結装置」に相当する。
　 　　　　　 
　そうすると、本願発明と引用発明とは、 
「外面の一部に前記地色とは異なる色彩が施されることにより相互に識別可能とする色彩識別部が設けられた複数種類の電線管と、
　内部にケ−ブルの一部を収容する配線ボックス等の配線体に前記電線管を連結するための継手とから成り、
　前記継手は、一端側に前記電線管が連結される継手本体と、
　該継手本体の他端側を前記配線体に連結させるべく該配線体の内部に配設されて、配線体内に挿通された継手本体の雄ねじ部に螺合する雌ねじ部を備えたナット体で構成され、前記配線体の開口からの識別を可能とする色彩識別部が設けられた複数種類の継手用連結体と、から成る電線管連結装置。」
　である点で一致し、次の相違点（あ）〜相違点（う）で相違している。
　　　　
・相違点（あ）
　本願発明においては、複数種類の電線管が「地色が同一」で、その色彩識別部が「長手方向」に設けられているのに対して、引用発明においては、電線管１の地色及びラインが設けられる位置については特定されていない点。
　
・相違点（い）
　本願発明においては、複数種類の継手用連結体には「外面全体に前記各電線管の色彩識別部と同一色が施されて」いるのに対して、引用発明においては、取付ナット３７が各電線管１のラインと同一色が施されていることについては明記されていない点。
　
・相違点（う）
　本願発明においては、「継手本体は、全体に前記複数種類の電線管及び継手用連結体に施される各色彩識別部と異なる色彩が施され、複数種類の電線管及び継手用連結体に対して共用可能である」のに対して、引用発明においては、コネクタ２ｆの本体の色彩、及び、複数種の電線管１と取付ナット３７に対して共用可能であるか不明である点。
　　　　　　　　　　
 （４−２）当審の判断 
　上記相違点（あ）〜相違点（う）について判断する。
・相違点（あ）について
（あ−１）上記引用刊行物Ａの摘記事項（３Ａ−５）の段落【００２９】には、「黄色のラインが付された第１の電線管１（Ｙ）には低圧用ケーブル６（Ｙ）が引き込まれており、赤色のラインが付された第２の電線管１（Ｒ）には高圧用ケーブル６（Ｒ）が挿通されている。」ことが記載されており、これらの電線管１について、「なお第１、第２の電線管の種類を外観、規格等で見分けることができるときは、前記黄、赤のラインを付さなくても良い。」（同段落【００２９】）ことが記載されていることから、黄色あるいは赤のラインが付された電線管１には、地色が同じで、太さが同じであるため電線管の種類を外観、規格等で見分けることができない場合を含むことは明らかである。そうすると、引用発明のラインが付された複数種の電線管１は、本願発明のごとく、「地色が同一」である電線管を含むことになる。
（あ−２）さらに、引用発明では電線管１に付された黄色や赤色のラインが設けられる位置については記載されていないが、黄色や赤色のラインが付される位置は、例えば特開平１−２７４３１６号公報の第４図に記載されているように、電線管１の長手方向の位置か、もしくは、実願平１−７９９１０号（実開平２−１０５７０号）のマイクロフィルムの第５図に記載されているように、電線管１の周方向の位置の何れかであり、そのどちらを採用するかは当業者が適宜なし得る選択的事項にすぎないので、本願発明のごとく、その色彩識別部が「長手方向」に設けられているように構成することは当業者が適宜なし得る設計的事項にすぎないものである。
　　　　　　　　　　　
・相違点（い）について
（い−１）上記引用刊行物Ａの摘記事項（３Ａ−５）には、「【００２９】・・・図１に示すようにこの実施例の施工構造では、コンクリートスラブ１０に複数個の引き込み部形成具２が埋め込まれている。すなわちケーブルエンド２ａ、ボックス組立２ｂ、エンドカバー２ｃ、カップリング２ｄ及び垂直ブッシング２ｅ（これらを総称して引き込み部形成具２と記す）が埋め込まれている。・・・そして、黄色のラインが付された第１の電線管１（Ｙ）には低圧用ケーブル６（Ｙ）が引き込まれており、赤色のラインが付された第２の電線管１（Ｒ）には高圧用ケーブル６（Ｒ）が挿通されている。・・・【００３０】・・・すなわち、赤の引き込み部形成具２（Ｒ）には内外面とも赤色で共通の表示が施され、黄の引き込み部形成具２（Ｙ）には内外面とも黄色で共通の表示が施されている。そして高圧用ケーブル６（Ｒ）を引き込む箇所には赤の引き込み部形成具２（Ｒ）が用いられており、低圧用ケーブル６（Ｙ）が引き込まれる箇所には黄の引き込み部形成具２（Ｙ）が用いられている。【００３１】・・・このとき、設計図を参照しながら、低圧用ケーブル６（Ｙ）を配線する箇所には黄の引き込み部形成具２（Ｙ）を、高圧用ケーブル６（Ｒ）を配線する箇所には赤の引き込み部形成具２（Ｒ）を用いた。ついで、これら引き込み部形成具２間をこれらの色を目印にしながら電線管１（Ｙ）又は１（Ｒ）で接続した。」ことが記載されていることから、上記引用刊行物Ａには、ケーブルエンド２ａ、ボックス組立２ｂ、エンドカバー２ｃ、カップリング２ｄ及び垂直ブッシング２ｅの引き込み部形成具２において接続される電線管１のラインの色と引き込み部形成具２の色とは同一色が施されていることが記載されている。
（い−２）そして、上記引用刊行物Ａの摘記事項（３Ａ−６）には、「【００４３】ついで空色のコンクリートボックス２ｇ（Ｓ）を目印にして、通信・情報系のケーブル６のための管路を構成する。この際、電話用ケーブル６（Ｇ）を引き込む管路を形成するときには、緑の識別表示を有するコネクタ２ｆ（Ｇ）を目印に電線管１（Ｇ）を接続する。同様にテレビ用ケーブル６（Ｗ）を引き込む電線管１（Ｗ）は白のコネクタ２ｆ（Ｗ）を目印にする。機器通信用ケーブル６（Ｏ）を引き込む電線管１（Ｏ）はオレンジ色のコネクタ２ｆ（Ｏ）を目印にして接続する。【００４４】以上のようにして構成した管路に各種ケーブル６を引き込む際には、各引き込み部形成具２の開口側から見える外側の識別表示（この実施例では色）を目印にする。」ことが記載され、さらに、上記（４−１）の（iv）で検討したように、引用発明の「取付ナット３７」には異なる識別表示が付された複数種類のナットを有する場合を含むことから、コンクリートボックス２ｇに電線管１とコネクタ２ｆを取り付ける際、例えば、電話用ケーブル６（Ｇ）の電線管１（Ｇ）と緑色の取付ナット３７を有するコネクタ２ｆ（Ｇ）とを接続する際には、上記（い−１）で検討したように、ケーブルエンド２ａ、ボックス組立２ｂ、エンドカバー２ｃ、カップリング２ｄ及び垂直ブッシング２ｅの引き込み部形成具２と同様に、引用発明のコンクリートボックス２ｇの引き込み部形成具部においても、電線管１（Ｇ）に付されたラインの色はコネクタ２ｆ（Ｇ）の取付ナット３７と同一色の緑色であると推認できるものであり、引用発明の引き込み部形成具においても、本願発明と同様に、複数種類の継手用連結体には「外面」「に前記各電線管の色彩識別部と同一色が施されて」いることになる。
（い−３）また、仮に、推認できなくても、上記（い−１）で検討したように、上記引用刊行物Ａには、ケーブルエンド２ａ、ボックス組立２ｂ、エンドカバー２ｃ、カップリング２ｄ及び垂直ブッシング２ｅの引き込み部形成具２において接続される電線管１のラインの色と引き込み部形成具２の色とは同一色が施されていることが記載されていることから、引用発明のコンクリートボックス２ｇの引き込み部形成具においても、ケーブルエンド２ａ、ボックス組立２ｂ、エンドカバー２ｃ、カップリング２ｄ及び垂直ブッシング２ｅの引き込み部形成具２と同様に、電線管１（Ｇ）に付されたラインの色をコネクタ２ｆ（Ｇ）の取付ナット３７と同一色の緑色にして、本願発明のごとく、複数種類の継手用連結体には「外面」「に前記各電線管の色彩識別部と同一色が施されて」いるように構成することは当業者が容易になし得るものである。
（い−４）さらに、取付ナット３７の外面の全体に色を着色すれば色を識別しやすくなることから、取付ナット３７の外面の全体に色を着色することも当業者が容易になし得るものである。
　　　　　　　　
・相違点（う）について
（う−１）引用発明のコンクリートボックス２ｇの引き込み部形成具において、電線管１に付与されるラインの色と電線管１に接続されるコネクタ２ｆの取付ナット３７の色とを同一色にすることは上記相違点（い）の（い−２）及び（い−３）で検討したとおりである。さらに、上記引用刊行物Ａの摘記事項（３Ａ−６）には「【００４８】・・・例えばコンクリートボックス２ｇの裏蓋４１の外面とコネクタ２ｆの取付ナット３７に共通の識別表示を付してもよい。」と記載されていることから、コネクタ２ｆに含まれる本体３６と、止め具３５とには識別表示をしていないことになる。
　ところで、上記相違点（あ）の（あ−１）で検討したように、引用発明の電線管１は、電線管の種類を外観、規格等で見分けることができない、地色が同じで、太さ等が同じである電線管１を含むことことから、この場合には、地色が同じで、太さ等が同じである電線管１と接続するコネクタ２ｆの本体３６と、止め具３５、取付ナットは３７は全て同じ規格のものでよいことは当業者であれば明らかである。そして、上記のようにとコネクタ２ｆのうち取付ナット３７と、電線管１と、裏蓋４１に共通の識別表示をした際には、コネクタ２ｆの本体３６は、取付ナット３７と、電線管１と、裏蓋４１の識別表示とは異なる色彩、すなわち、本願発明のごとく、「継手本体は、全体に前記複数種類の電線管及び継手用連結体に施される各色彩識別部と異なる色彩が施され」ることになる。
　さらに、同じ規格の部品であれば、共用可能であることも自明な事項であることから、コネクタ２ｆを構成する本体３６、止め具３５を識別表示された取付ナット３７及び電線管１に対して共用可能とし、本願発明のごとく「継手本体は、」「複数種類の電線管及び継手用連結体に対して共用可能である」ようにすることは当業者が容易になし得たものである。
（う−２）なお、電線管及び継手用連結体
にのみ
　　　　　　　
　そして、本願発明によってもたらされる効果は、引用発明及び周知の技術事項から予測される範囲内のものであって、格別のものではない。
　　　　　　　　　　
　なお、請求人は審判請求の理由の「Ａ．色彩識別部の存在部分」の項において「（５）結局、本願発明と引例１とでは、継手（コネクタ２ｆ）における配線体（コンクリートボックス２ｇ）の外側に配置される継手本体（コネクタ２ｆの本体３６）に識別表示が付されるか否かによって、両者は明瞭に区別されるのである。」旨を、「Ｂ．色彩識別を施す対象部位、及び識別時点」の項において「従って、本願発明のように、電線管の一端部をコンクリートボックスに接続する際には、選択された電線管と、引き込み部形成具におけるボックスの内側に施された識別色彩との合致性を判断する必要はない点において、本願発明と相違する。」旨を、「Ｃ．継手を構成する継手本体の共用性の存否」の項において「上記したことからして、引例１には、本願発明における『継手本体の共用』に関する技術思想は存在しないことは明白である。」旨を、「Ｄ．本願発明と引例１の段落「００４８」に開示の実施例との関係」の項において「（３）従って、『引例１の段落「００４８」に記載の実施例によれば、コネクタ２ｆの本体３６（本願発明の継手本体）を共用化できる』との見解は、本願発明の進歩性を否定する理由とはなり得ない。」旨をそれぞれ主張している。
　しかしながら、上記相違点（う）の（う−２）で検討したように、電線管及び継手用連結体
にのみ
　さらに、継手本体の共用性については、上記相違点（う）の（う−１）で検討したとおりであるから、請求人の「Ｃ．継手を構成する継手本体の共用性の存否」の項、及び「Ｄ．本願発明と引例１の段落「００４８」に開示の実施例との関係」における主張は採用できないものである。
　　　　
　したがって、本願発明は、引用発明及び周知の技術事項に基づいて当業者が容易に発明をすることができたものである。
  　　　　　　　　　　　　 
 第５　むすび  
　以上のとおりであるから、本願発明は、特許法第２９条第２項の規定により特許を受けることができないものであるから、本件出願は、拒絶をすべきものである。
　よって、結論のとおり審決する。